【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
広がった頭部（１２）と、軸（Ａ）に沿って延在する円筒形シャフト（１４）とを有する締結器具（１０）のための、制御リング（１００、１００Ｂ、１００Ｃ、１００Ｄ）であって、
前記シャフトは、軸（Ａ）に対して平行な少なくとも１つのコーティングの帯状部（２２）を有し、
前記帯状部（２２）は周方向幅に亘って延在し、
前記リングは、第１の先端（１２０、１２０Ｂ、１２０Ｃ、１２０Ｄ）と第２の先端（１４０、１４０Ｂ、１４０Ｃ、１４０Ｄ）との間で回転軸（Ｂ）に沿って延在する円筒形本体（１１０、１１０Ｂ、１１０Ｃ、１１０Ｄ）を備える、制御リング（１００、１００Ｂ、１００Ｃ、１００Ｄ）において、
前記制御リング（１００、１００Ｂ、１００Ｃ、１００Ｄ）は：
‐前記第１の先端（１２０、１２０Ｂ、１２０Ｃ、１２０Ｄ）は、２つの隣接する円弧セグメント（１２２、１２４；１２２Ｃ、１２４Ｃ）を備え、各前記円弧セグメントは、前記リングの前記回転軸（Ｂ）に対して垂直な平面内に延在する末端壁（１２６、１２８；１２６Ｃ、１２８Ｃ）を有し、前記２つの壁の前記平面は同一のものではなく、前記第１の先端から軸方向にオフセットされ；
‐各前記円弧セグメントは、前記リングの前記回転軸（Ｂ）を通る径方向平面に亘って延在している少なくとも１つの側壁（１３０、１３２、１３４；１３０Ｃ、１３２Ｃ、１３４Ｃ）を有する
ことを特徴とし；また
‐前記円弧セグメントの幅は検査するべき前記帯状部の最小幅によって画定され、前記２つの円弧セグメントの幅の合計は検査するべき前記帯状部の最大幅によって画定される
ことを特徴とする、制御リング（１００、１００Ｂ、１００Ｃ、１００Ｄ）。
【請求項２】
前記２つの隣接する円弧セグメント（１２２、１２４）は、前記管状本体の内側に前記末端壁（１２６、１２８）まで軸方向に延伸する、前記第１の先端（１２０、１２０Ｂ）と前記第２の先端（１４０、１４０Ｂ）との間に位置するノッチである、請求項１に記載の制御リング（１００、１００Ｂ）。
【請求項３】
前記２つの隣接する円弧セグメントは、前記管状本体の外側に前記末端壁（１２６Ｃ、１２８Ｃ）まで、前記第１の先端（１２０Ｃ、１２０Ｄ）を超えて軸方向に延伸する突出部（１２２Ｃ、１２４Ｃ）である、請求項１に記載の制御リング（１００Ｃ、１００Ｄ）。
【請求項４】
前記ノッチ又は前記突出部の側壁（１３０）の少なくとも１つの部分（１３０Ｂ）は、前記本体の径方向平面から角度（α）だけオフセットされた平面内に延在する、請求項２又は３に記載の制御リング（１００、１００Ｂ、１００Ｃ、１００Ｄ）。
【請求項５】
前記リングの前記第２の先端（１４０；１４０Ｂ）は、前記第２の先端から第１の末端壁（１４４Ｂ）までの前記本体の一部分に亘って軸方向に延在する、少なくとも１つのノッチ（１４２Ｂ；１４２Ｄ）を有し、
前記ノッチの１つの軸方向長さは、前記第２の先端と前記締結器具の前記シャフト上に配設された前記帯状部の軸方向先端との間の、検査するべき最小距離によって画定される、請求項１に記載の制御リング（１００、１００Ｂ、１００Ｃ、１００Ｄ）。
【請求項６】
前記第２の先端（１４０Ｄ）はまた、前記第２の先端から第２の底部壁までの前記本体の一部分に亘って軸方向に延在する少なくとも１つの第２のノッチ（１５２Ｄ）を有し、
前記第２のノッチの１つの軸方向長さは、前記第２の先端と前記締結器具の前記シャフト上に配設された前記帯状部の軸方向先端との間の、検査するべき距離の公差範囲によって画定される、請求項５に記載の制御リング（１００Ｄ）。
【請求項７】
前記第２の先端（１４０；１４０Ｂ）は、皿穴状の又は隆起した前記締結器具の頭部の底部と相補的な、円錐形の又は平坦な表面を有する、請求項５に記載の制御リング（１００、１００Ｂ、１００Ｃ、１００Ｄ）。
【請求項８】
少なくとも１つの前記末端壁又は前記側壁は、前記検査される寸法の前記受容又は拒否を指示する視覚的手段を有する、請求項１に記載の制御リング（１００、１００Ｂ、１００Ｃ、１００Ｄ）。
【請求項９】
前記視覚的手段は、前記壁に塗布された色、又は前記壁付近に設けられた指標である、請求項８に記載の制御リング（１００、１００Ｂ、１００Ｃ、１００Ｄ）。
【請求項１０】
請求項１に記載の制御リング（１００、１００Ｂ、１００Ｃ、１００Ｄ）を用いて、頭部（１２）と軸に沿って延在する円筒形シャフト（１４）とを備える締結器具（１０）を制御するための方法であって、
前記シャフトは、前記軸に対して平行な少なくとも１つのコーティングの帯状部（２２）を備え、
前記帯状部は、前記シャフトの周方向幅に亘って延在する、方法において、
前記方法は、以下のステップ：
ａ）前記締結器具の前記円筒形シャフト上に、クリアランスを設けて前記リング（１００、１００Ｂ、１００Ｃ、１００Ｄ）を設置するステップ；
ｂ）前記リングを、前記シャフトの周に亘って回転させて、前記帯状部（２２）の第１の縁部を、前記第１の先端の第１の円弧セグメントの側壁と位置合わせするステップ；
ｃ）前記帯状部の前記第１の縁部と反対側の、前記帯状部（２２）の第２の縁部が、第２の円弧セグメントに含まれており、前記第１の円弧セグメントに含まれていない場合、即ち前記帯状部の幅が前記第１の円弧セグメントの幅よりも大きく、かつ２つの隣接する前記円弧セグメントの幅より小さい場合に、前記帯状部（２２）の前記周方向幅が適合しているものとして報告するステップ
を含む、方法。
【請求項１１】
請求項１０に記載の前記ステップｂ）及び前記ステップｃ）を、前記締結器具の前記コーティング帯状部それぞれに関して反復すること、及び
前記ステップｃ）が少なくとも１つの前記コーティング帯状部に関して確認されない場合に、前記締結器具を適合していないものとして報告すること
から構成される、請求項１０に記載の締結器具（１０）を制御するための方法。
【請求項１２】
請求項５に記載の制御リングを用いて、頭部（１２）と軸に沿って延在する円筒形シャフト（１４）とを備える締結器具（１０）を制御するための方法であって、
前記シャフトは、前記軸に対して平行な少なくとも１つのコーティングの帯状部（２２）を備え、
前記帯状部は１つの長さに亘って延在し、
前記方法は、以下のステップ：
ａ）前記リング（１００Ｂ、１００Ｄ）を前記締結器具の前記円筒形シャフト上に設置するステップ；
ｂ）前記リングを摺動させて、前記第２の先端（１４０Ｂ、１４０Ｄ）を前記締結器具の前記頭部（１２）の下側に当接させるステップ；
ｃ）前記リングを、前記シャフトの全周に亘って回転させるステップ；
ｄ）前記リングの前記回転中に、どの前記帯状部も前記第１のノッチ（１４２Ｂ、１４２Ｄ）に現れない場合に、前記締結器具を、前記帯状部の最大長さの基準に適合しているものとして報告するステップ
を含む、方法。
【請求項１３】
各前記帯状部の前記軸方向先端が前記第２のノッチ（１５２Ｄ）に対向して現れる場合に、前記締結器具を、前記帯状部の最小長さの基準に適合しているものとして報告することから構成されるステップを含む、請求項１２に記載の締結器具を制御するための方法。
【請求項１４】
前記リングの前記第２の先端（１４０Ｂ、１４０Ｄ）は、前記締結器具の前記頭部の下側に当接する位置にある、請求項１２に記載の締結器具（１０）を制御するための方法。